【手続補正書】
【提出日】平成15年5月9日(2003.5.9)
【手続補正１】
【補正対象書類名】明細書
【補正対象項目名】特許請求の範囲
【補正方法】変更
【補正の内容】
【特許請求の範囲】
【請求項１】
サンプル信号を受信する手段と、
チップサンプル信号を生成するためにタイミング情報に従って前記サンプル信号をサブサンプリングする手段と、
前記タイミング情報とユーザ拡散符号に関する情報とを使用して等価符号を発生する手段と、
直交化符号を生成するために前記等価符号を処理する手段と、
逆拡散値を生成するために前記チップサンプル信号を前記直交化符号と相関させる手段と
を含む直接順ＣＤＭＡ受信機。
【請求項２】
請求項１記載の受信機において、前記発生する手段はユーザ拡散符号を補間する手段を含む受信機。
【請求項３】
請求項１記載の受信機において、前記発生する手段は検出シンボル値を使用して異なったシンボル期間からの符号を連結する手段を含む受信機。
【請求項４】
請求項１記載の受信機において、前記処理する手段はグラム−シュミット・プロセッサを含む受信機。
【請求項５】
請求項１記載の受信機において、前記相関させる手段は構成要素相関を生成するために構成要素符号に対して相関させる手段と前記逆拡散値を生成するために構成要素相関を組み合わせる手段とを含む受信機。
【請求項６】
請求項１記載の受信機において、前記相関させる手段は複数の逆拡散値を生成し、かつ組合せ逆拡散値を生成するために逆拡散値を組み合わせる手段を更に含む受信機。
【請求項７】
請求項６記載の受信機において、前記組み合わせる手段は異なった信号エコーからの逆拡散値を組み合わせることに相当する受信機。
【請求項８】
請求項６記載の受信機において、前記組み合わせる手段は異なったアンテナからの逆拡散値を組み合わせることに相当する受信機。
【請求項９】
請求項６記載の受信機において、前記発生する手段はユーザの信号の異なったエコーに相当する等価符号を発生する受信機。
【請求項１０】
サンプル信号を受信する手段と、
チップサンプル信号を生成するためにタイミング情報に従って前記サンプル信号をサブサンプリングする手段と、
バッファ信号を生成するために前記チップサンプル信号を記憶する手段と、
逆拡散値を生成するために前記バッファ信号を拡散符号と相関させる手段と、
前記タイミング情報とユーザ拡散符号に関する情報とを使用して等価符号を発生する手段と、
直交化符号を生成するために前記等価符号を処理する手段と、
再拡散信号を生成するために前記直交化符号を使用して前記逆拡散値を拡散させる手段と、
更新バッファ信号を生成するために前記バッファ信号から前記再拡散信号を減算する手段と
を含む直接順ＣＤＭＡ受信機。
【請求項１１】
請求項１０記載の受信機において、前記発生する手段はユーザ拡散符号を補間する手段を含む受信機。
【請求項１２】
請求項１０記載の受信機において、前記発生する手段は検出シンボル値を使用して異なったシンボル期間からの符号を連結する手段を含む受信機。
【請求項１３】
請求項１０記載の受信機において、前記処理する手段はグラム−シュミット・プロセッサを含む受信機。
【請求項１４】
請求項１０記載の受信機において、前記相関させる手段は構成要素相関を生成するために構成要素符号に対して相関させる手段と前記逆拡散値を生成するために構成要素相関を組み合わせる手段とを含む受信機。
【請求項１５】
直接順ＣＤＭＡ受信機内で送信記号を検出する方法であって、
サンプル信号を受信するステップと、
チップサンプル信号を生成するためにタイミング情報に従って前記サンプル信号をサブサンプリングするステップと、
前記タイミング情報とユーザ拡散符号に関する情報とを使用して等価符号を発生するステップと、
直交化符号を生成するために前記等価符号を処理するステップと、
逆拡散値を生成するために前記チップサンプル信号を前記直交化符号と相関させるステップと
を含む方法。
【請求項１６】
請求項１５記載の方法において、前記発生するステップはユーザ拡散符号を補間することを含む方法。
【請求項１７】
請求項１５記載の方法において、前記発生するステップは検出シンボル値を使用して異なったシンボル期間からの符号を連結することを含む方法。
【請求項１８】
請求項１５記載の方法において、前記処理するステップはグラム−シュミット・プロセッサを利用する方法。
【請求項１９】
請求項１５記載の方法において、前記相関させるステップは構成要素相関を生成するために構成要素符号に対して相関させることと前記逆拡散値を生成するために構成要素相関を組み合わせることとを含む方法。
【請求項２０】
請求項１５記載の方法において、前記相関させるステップは複数の逆拡散値を生成し、かつ組合せ逆拡散値を生成するために逆拡散値を組み合わせるステップを更に含む方法。
【請求項２１】
請求項２０記載の方法において、前記組み合わせるステップは異なった信号エコーからの逆拡散値を組み合わせることに相当する方法。
【請求項２２】
請求項２０記載の方法において、前記組み合わせるステップは異なったアンテナからの逆拡散値を組み合わせることに相当する方法。
【請求項２３】
請求項２０記載の方法において、前記発生するステップはユーザの信号の異なったエコーに相当する等価符号を発生する方法。
【請求項２４】
直接順ＣＤＭＡ受信機内で送信記号を検出する方法であって、
サンプル信号を受信するステップと、
チップサンプル信号を生成するためにタイミング情報に従って前記サンプル信号をサブサンプリングするステップと、
バッファ信号を生成するために前記チップサンプル信号を記憶するステップと、
逆拡散値を生成するために前記バッファ信号を拡散符号と相関させるステップと、
前記タイミング情報とユーザ拡散符号に関する情報とを使用して等価符号を発生するステップと、
直交化符号を生成するために前記等価符号を処理するステップと、
再拡散信号を生成するために前記直交化符号を使用して前記逆拡散値を拡散させるステップと、
更新バッファ信号を生成するために前記バッファ信号から前記再拡散信号を減算するステップと
を含む方法。
【請求項２５】
請求項２４記載の方法において、前記発生するステップはユーザ拡散符号を補間することを含む方法。
【請求項２６】
請求項２４記載の方法において、前記発生するステップは検出シンボル値を使用して異なったシンボル期間からの符号を連結することを含む方法。
【請求項２７】
請求項２４記載の方法において、前記処理するステップはグラム−シュミット・プロセッサを使用する方法。
【請求項２８】
請求項２４記載の方法において、前記相関させるステップは構成要素相関を生成するために構成要素符号に対して相関させることと前記逆拡散値を生成するために構成要素相関を組み合わせることとを含む方法。
【請求項２９】
請求項１記載の直接順ＣＤＭＡ受信機であってベースバンド・プロセッサを含み、前記ベースバンド・プロセッサは
オーバサンプル信号を受信し、かつチップサンプル信号を生成するためにタイミング情報に従って前記オーバサンプル信号をサブサンプリングするサブサンプラと、
前記タイミング情報とユーザ拡散符号に関する情報とを使用して等価符号を発生する等価符号発生器と、
直交化符号を生成するために前記等価符号を処理するプロセッサと、
前記プロセッサと前記サブサンプラとに動作上接続され、逆拡散値を生成するために前記チップサンプル信号を前記直交化符号と相関させる相関器と
を含む直接順ＣＤＭＡ受信機。
【請求項３０】
請求項２９記載のベースバンド・プロセッサにおいて、前記等価符号発生器はユーザ拡散符号を補間するベースバンド・プロセッサ。
【請求項３１】
請求項２９記載のベースバンド・プロセッサにおいて、前記等価符号発生器は検出シンボル値を使用して異なったシンボル期間からの符号を連結するベースバンド・プロセッサ。
【請求項３２】
請求項２９記載のベースバンド・プロセッサにおいて、前記プロセッサはグラム−シュミット・プロセッサを含むベースバンド・プロセッサ。
【請求項３３】
請求項２９記載のベースバンド・プロセッサにおいて、前記相関器は構成要素相関を生成するために構成要素符号に対して相関させかつ前記逆拡散値を生成するために構成要素相関を組み合わせるベースバンド・プロセッサ。
【請求項３４】
請求項２９記載のベースバンド・プロセッサにおいて、前記相関器は複数の逆拡散値を生成し、かつ組合せ逆拡散値を生成するために逆拡散値を組み合わせるベースバンド・プロセッサ。
【請求項３５】
請求項３４記載のベースバンド・プロセッサにおいて、前記相関器は異なった信号エコーからの逆拡散値を組み合わせるベースバンド・プロセッサ。
【請求項３６】
請求項３４記載のベースバンド・プロセッサにおいて、前記相関器は異なったアンテナからの逆拡散値を組み合わせるベースバンド・プロセッサ。
【請求項３７】
請求項３４記載のベースバンド・プロセッサにおいて、前記等価符号発生器はユーザの信号の異なったエコーに相当する等価符号を発生するベースバンド・プロセッサ。
【請求項３８】
請求項１０記載の直接順ＣＤＭＡ受信機であってベースバンド・プロセッサを含み、前記ベースバンド・プロセッサは
オーバサンプル信号を受信し、かつチップサンプル信号を生成するためにタイミング情報に従って前記オーバサンプル信号をサブサンプリングするサブサンプラと、
バッファ信号を生成するために前記チップサンプル信号を記憶するバッファと、
逆拡散値を生成するために前記バッファ信号を拡散符号と相関させる相関器と、
前記タイミング情報とユーザ拡散符号に関する情報とを使用して等価符号を発生する等価符号発生器と、
直交化符号を生成するために前記等価符号を処理するプロセッサと、
再拡散信号を生成するために前記直交化符号を使用して前記逆拡散値を拡散させる拡散器と、
更新バッファ信号を生成するために前記バッファ信号から前記再拡散信号を減算する減算器と
を含む直接順ＣＤＭＡ受信機。
【請求項３９】
請求項３８記載のベースバンド・プロセッサにおいて、前記等価符号発生器はユーザ拡散符号を補間するベースバンド・プロセッサ。
【請求項４０】
請求項３８記載のベースバンド・プロセッサにおいて、前記等価符号発生器は検出シンボル値を使用して異なったシンボル期間からの符号を連結するベースバンド・プロセッサ。
【請求項４１】
請求項３８記載のベースバンド・プロセッサにおいて、前記プロセッサはグラム−シュミット・プロセッサを含むベースバンド・プロセッサ。
【請求項４２】
請求項３８記載のベースバンド・プロセッサにおいて、前記相関器は構成要素相関を生成するために構成要素符号に対して相関させかつ前記逆拡散値を生成するために構成要素相関を組み合わせるベースバンド・プロセッサ。
【請求項４３】
直接順ＣＤＭＡ受信機内で送信記号を回復する方法であって、
受信無線信号をベースバンド信号に変換するステップと、
第１ユーザのタイミングに相当する複数の等価符号を発生するステップと、
前記等価符号と前記ベースバンド信号とを使用して前記第１ユーザの送信シンボルを回復するステップと
を含む方法。
【手続補正２】
【補正対象書類名】明細書
【補正対象項目名】００１３
【補正方法】変更
【補正の内容】
【００１３】
米国特許第５，６１５，２０９号は、非同期信号に対する直交化をまた論じる。非同期ユーザの例は、図４に示す。非同期信号に対して、ハイブリッド列の形成が直交化に使用される。図４で、例えば、シンボル１に対するユーザＢの拡散列がユーザＡの検出シンボル１の部分とユーザＡの検出シンボル２の部分との組合せであるハイブリッド列と直交化されるので、ハイブリッド列がユーザＢのシンボル１と整列するというようになる。非同期信号では、各信号の到着時刻は異なる。到着時刻の差は、チップ期間の端数であり得る。結果として、チップ周期当たり信号を多数回サンプリングするのが普通であるので、サンプリング実現値（ｓａｍｐｌｉｎｇ  ｉｎｓｔａｎｃｅ）の１つは所与の信号についてチップの中心に相当する。チップ当たり多数サンプルを用いる米国特許第５，６１５，２０９号の方法を使用するとき、各シグネチャ列は送信機で使用された拡散波形のサンプル・バージョンである。しかしながら、チップ当たり多数サンプルを使用する直交化は、複雑さを著しく増す。


【手続補正３】
【補正対象書類名】明細書
【補正対象項目名】００３２
【補正方法】変更
【補正の内容】
【００３２】
図５は、「ユーザＡ」に対して識別された実線で第１曲線７０を示す。「ユーザＢ」に対して識別された第２曲線７２がまたある。本明細書における論議のために、ユーザＡに関する信号とユーザＢに関する信号は、チップ期間当たり４サンプルの速度でサンプルされる。拡散波形は、平滑チップ・パルス形状を間に挟んだ＋１値チップ又は−１値チップで構成される。干渉無効化を伴わない在来の相関受信機を使用すると、ユーザＡに関する受信信号は、例えば、サンプル時刻１、５、９、等々にサブサンプリングされる。ユーザＢに関しては、受信信号は、例えば、サンプル時刻３、７、１１等々にサブサンプリングされる。本発明に従って、干渉無効化は、異なったユーザ信号の異なったタイミングを使用して、適用される。「注目する信号（ｓｉｇｎａｌ  ｏｆ  ｉｎｔｅｒｅｓｔ）」と呼ばれる特定信号を検出するとき、他の、通常、より強い信号の無効化は、注目の信号のタイミングに基づいている。例えば、ユーザＢが注目の信号であるならば、ユーザＡに関する信号は、ユーザＢに関する信号を検出するのに先立って、無効にしなければならない。ユーザＢのサンプル・タイミングのみが利用され、それであるからサンプル３、７、１１等々のみがユーザＢに対して処理される。サンプルのこの集合に対して、等価ユーザＡ列が形成される。これは、ユーザＡ自体のタイミングにおけるユーザＡの列、すなわち、サンプル１、５、９等々を控え（ｎｏｔｅ）かつサンプル時刻３、７、１１等々における値を得るために補間することによって形成される。図５の例では、サンプル・タイミング３、７、１１におけるユーザＢに関する値は、それぞれ、＋１、−１、＋１である。ユーザＡのタイミング１、５、９、１３におけるユーザＡの列の値は、それぞれ、＋１、＋１、−１、＋１である。時刻３、７、１１における等価ユーザＡ列は、それぞれ、０．５、０、０．５であると判定される。好適には、補間は、送信チップ・パルス整形と受信フィルタリングに基づいている。次いで、この等価列は、引用することによってその内容が本明細書に組み入れられている米国特許第５，６１５，２０９号に説明されたグラム−シュミット直交化手順に使用されて、修正ユーザＢ列を発生する。本発明の１実施の形態では、この修正ユーザＢ列は、逆拡散するために使用される。